(57)【要約】      （修正有）【課題】可撓性黒鉛シート支持構造と熱源を有する装置のための熱管理装置を提供する。【解決手段】可撓性黒鉛シート支持構造は、互いに間隔が空けられている第１の支持部材１０４と第２の支持部材１０６と、互いに間隔が空けられている第１及び第２の支持部材の間を延びる自立屈曲調節部分１２０を形成する、互いに間隔が空けられている第１及び第２の支持部材に固定されている可撓性黒鉛シート１０２とを含む。凸形湾曲表面を有する湾曲保持部材が、屈曲調節部分を釣鐘形の曲線の形に保つために、且つ、これと同時に、可撓性黒鉛シートが最小曲げ半径を超えることを防止するために使用される。可撓性黒鉛シート支持構造によって形成される熱管理装置は、可撓性黒鉛シートが一方の支持構造から他方の支持構造に熱を伝達することを可能にすると同時に、支持構造の間の振動の伝達を減少させることと、且つ、互いに間隔が空けられている支持構造の間の相対移動とを可能にする。【選択図】図１
0003213925.tif 000002
【実用新案登録請求の範囲】
【請求項１】
可撓性黒鉛シート支持構造において、
第１の支持部材と、前記第１の支持部材から間隔が空けられている第２の支持部材であって、前記第１の支持部材及び前記第２の支持部材の一方がその他方に対して相対的に移動するようになっている、第１の支持部材及び第２の支持部材と、
互いに間隔が空けられている前記第１の支持部材及び前記第２の支持部材に固定されている可撓性黒鉛シートであって、互いに間隔が空けられている前記第１の支持部材及び前記第２の支持部材の間を延びる自立屈曲調節部分を有し、前記屈曲調節部分は、互いに反対側に位置した複数の外向き凹形湾曲部分の間に配置されている中央湾曲部分を有する釣鐘形曲線の形状である可撓性黒鉛シートと、
前記複数の外向き凹形湾曲部分のそれぞれ１つに隣接して配置されており且つそれに面している凸形湾曲表面を有する第１の湾曲保持部材と、前記複数の外向き凹形湾曲部分の他方に隣接して配置されており且つそれに面している凸形湾曲表面を有する第２の湾曲保持部材であって、前記可撓性黒鉛シートは前記凸形湾曲表面に固定されていない、第１の湾曲保持部材と第２の湾曲保持部材とを備える、可撓性黒鉛シート支持構造。
【請求項２】
前記可撓性黒鉛シートは、約０．０２５ｍｍから約０．５００ｍｍの間の厚さと、約０．６ｇ／ｃｃから約２．０ｇ／ｃｃの間の密度とを有する請求項１に記載の可撓性黒鉛シート支持構造。
【請求項３】
前記湾曲保持部材は、前記支持部材に連結されている少なくとも１つであり、且つ、支持部材と一体状である請求項１に記載の可撓性黒鉛シート支持構造。
【請求項４】
前記可撓性黒鉛シートの前記複数の外向き凹形湾曲部分はそれぞれの半径Ｒ2、Ｒ3を有し、前記中央湾曲部分は半径Ｒ1を有し、さらには、
ａ．Ｒ1≠Ｒ2且つＲ1≠Ｒ3、又は、
ｂ．Ｒ1＝Ｒ2＝Ｒ3
である、請求項１に記載の可撓性黒鉛シート支持構造。
【請求項５】
前記可撓性黒鉛シートの前記複数の外向き凹形湾曲部分はそれぞれの半径Ｒ2、Ｒ3を有し、前記中央湾曲部分は半径Ｒ1を有し、さらには、
Ｒ2とＲ3は前記凸形湾曲表面全体にわたって一定不変であり、及び、
Ｒ2とＲ3は前記凸形湾曲表面全体にわたって互いに等しい、の少なくとも一方を有する、請求項１に記載の可撓性黒鉛シート支持構造。
【請求項６】
前記可撓性黒鉛シートの前記複数の外向き凹形湾曲部分はそれぞれの半径Ｒ2、Ｒ3を有し、前記中央湾曲部分は半径Ｒ1を有し、Ｒ2≠Ｒ3である請求項１に記載の可撓性黒鉛シート支持構造。
【請求項７】
前記可撓性黒鉛シートの前記複数の外向き凹形湾曲部分はそれぞれの半径Ｒ2、Ｒ3を有し、前記中央湾曲部分は半径Ｒ1を有し、Ｒ2とＲ3は、前記凸形湾曲表面が、非円形の曲線、オイラー螺旋、螺旋曲線、及び、３次曲線の少なくとも１つである表面を画定するように、前記凸形湾曲表面に沿って変化する請求項１に記載の可撓性黒鉛シート支持構造。
【請求項８】
前記可撓性黒鉛シートの前記複数の外向き凹形湾曲部分はそれぞれの半径Ｒ2、Ｒ3を有し、前記中央湾曲部分は半径Ｒ1を有し、前記支持部材は、距離ＤGの間隔を空けられており、Ｒ1＋Ｒ1＋Ｒ2＋Ｒ3＝ＤG、且つ、Ｒ1＝Ｒ2＝Ｒ3である請求項１に記載の可撓性黒鉛シート支持構造。
【請求項９】
前記可撓性黒鉛シートは、さらに、一体的に積層されている複数のシートを含む少なくとも１つの部分と、一体的に積層されていない複数のシートを含む少なくとも１つの部分とを備える請求項１に記載の可撓性黒鉛シート支持構造。
【請求項１０】
前記可撓性黒鉛シートは、剥離黒鉛の圧縮粒子の１つ又は複数のシートと、熱分解性黒鉛の１つ又は複数のシートの少なくとも１つを備える請求項１に記載の可撓性黒鉛シート支持構造。
【考案の詳細な説明】
【技術分野】
【０００１】
本開示は、熱源の熱管理のための可撓性黒鉛の使用に関し、さらに特に、異なる支持部材の間の相対的移動を可能にすると同時に振動伝導を減少させる、可撓性黒鉛支持構造に関する。
【背景技術】
【０００２】
電子装置が、より強力になり且つより広く普及するようになるにつれて、特に困難で且つ敵対的な環境内で電子装置が使用される時に、新たな問題が出現している。多くの電子装置における原理的な設計上の問題が、適正な性能を確実なものにするために、且つ、構成要素に対する損傷を防止するために、過剰な熱を除去することである。この目標は、例えば互いに間隔が空けられた支持部材の相互間の振動又は相対的移動のような、他の故障ベクトルからの保護を電子装置が必要とする時に、より実現困難なものとなる。
【０００３】
したがって、互いに間隔が空けられている支持部材の間を延びる、予め決められた形状に黒鉛シートを維持することが可能である、黒鉛シートのための支持装置が、当業において必要とされている。
【考案の概要】
【０００４】
可撓性黒鉛シート支持構造が開示される。この可撓性黒鉛シート支持構造は、第１の支持部材と、この第１の支持部材から間隔が空けられている第２の支持部材とであって、この第１及び第２の支持部材の一方がその他方に対して相対的に移動するようになっている、第１及び第２の支持部材と、互いに間隔が空けられている第１及び第２の支持部材に固定されている可撓性黒鉛シートであって、互いに間隔が空けられている第１及び第２の支持部材の間を延びる自立屈曲調節部分（ｆｒｅｅ  ｓｔａｎｄｉｎｇ  ｆｌｅｘ  ａｃｃｏｍｍｏｄａｔｉｎｇ  ｓｅｃｔｉｏｎ）を有し、及び、この屈曲調節部分は、互いに反対側に位置した複数の外向きの凹形湾曲部分の間に配置されている中央湾曲部分を有する釣鐘形曲線の形状である、可撓性黒鉛シートと、複数の外向き凹形湾曲部分のそれぞれ１つに隣接して配置されており且つそれに面している凸形湾曲表面を有する第１の湾曲保持部材（ｃｕｒｖｅ  ｒｅｔｅｎｔｉｏｎ  ｍｅｍｂｅｒ）と、複数の外向き凹形湾曲部分の他方に隣接して配置されており且つそれに面している凸形湾曲表面を有する第２の湾曲保持部材であって、可撓性黒鉛シートはこれらの凸形湾曲表面に固定されていない、第１の湾曲保持部材と第２の湾曲保持部材とを含む。
【図面の簡単な説明】
【０００５】
【図１】湾曲保持部材なしの、互いに間隔が空けられている支持部材の間に支持されている可撓性黒鉛シートの側面図である。
【図２】湾曲保持部材が使用されていない時の、急激な湾曲を有する複数のシートを有する可撓性黒鉛シートの拡大側面図である。
【図３】可撓性黒鉛シートにおいて最小の曲げ半径を維持するための凸形湾曲表面を有する湾曲保持部材を使用する、可撓性黒鉛シート支持構造の側面図である。
【図４】互いに間隔が空けられている支持部材と一体状である湾曲保持部材を使用する可撓性黒鉛シート支持構造の別の具体例の側面図である。
【図５】互いに間隔が空けられている支持部材の間の相対的移動を示す、可撓性黒鉛シート支持構造の側面図である。
【考案を実施するための形態】
【０００６】
図１を参照すると、可撓性黒鉛シート装置が参照番号１００において全体的に示されている。この装置１００は、１対の互いに間隔が空けられている支持部材１０４、１０６の間を延びる可撓性黒鉛シート１０２を含む。これらの互いに間隔が空けられている支持部材１０４、１０６は距離ＤGの間隔を置かれている。これらの互いに間隔が空けられている部材１０４、１０６の各々は１つ又は複数の部材を含むことが可能である。例えば、図１には、例えば各々の部材に関して１対の支持部材１０４ａ及び１０４ｂ、１０６ａ及び１０６ｂが示されている。互いに間隔が空けられている部材１０４、１０６は、必要に応じて、一体的に連結されるか、又は、より大きいアセンブリの一部分であることが可能である。可撓性黒鉛シート１０２は、任意の適切な仕方で、互いに間隔が空けられている支持部材１０４、１０６に固定されている。一例では、可撓性黒鉛シート１０２は、互いに間隔が空けられている支持部材に接着接合されており、及び、別の例では、１対の支持部材１０４ａ及び１０４ｂ、１０６ａ及び１０６ｂは、これらの支持部材の間に可撓性黒鉛シートを締め付け固定する。別の例では、機械的締結具が、可撓性黒鉛シートを支持部材に固定するために使用される。別の例では、接着接合、締め付け固定、及び／又は、機械的締結具の適切な組み合わせが使用されることが可能である。
【０００７】
次に図１と図２を参照すると、黒鉛シート１０２が１つ又は複数の可撓性黒鉛シートによって形成されている。図２に１０２において概略的に示されている１つの非限定的な事例が、２つのシート２０２ａ、２０２ｂを含む。しかし、黒鉛シート１０２が任意の適切な数の可撓性黒鉛シートを含むことが可能であるということが理解されるべきである。可撓性黒鉛シート１０２は、剥離黒鉛の圧縮流離を含んでもよい。他の実施形態では、可撓性黒鉛シート１０２は、１つ又は複数の支持層を伴う１つ又は複数の熱分解性黒鉛層を含む。さらに別の実施形態では、可撓性黒鉛シート１０２は、熱分解性黒鉛と、剥離黒鉛の圧縮粒子の１つ又は複数のシートとの両方で形成されてもよい。術語「熱分解性黒鉛」は、黒鉛化された黒鉛化可能ポリマーである。
【０００８】
１つ又は複数の実施形態では、複数の黒鉛シート２０２ａ、２０２ｂ等が、本明細書で開示されているように、使用のためにシート１０２として概略的に示されている単体の物品の形に積層されてもよい。シート２０２ａ、２０２ｂは、これらのシートの間の感圧性接着剤又は感熱性接着剤のような適切な接着剤を用いて積層されてもよい。選択される接着剤は、接着力と厚さの最小化とをバランスさせなければならず、且つ、熱伝導が必要とされる使用温度において適切な接合を維持することが可能ななければならない。適切な接着剤は当業者には公知であろうし、特にアクリル樹脂とフェノール樹脂を含む。
【０００９】
他の実施形態では、可撓性黒鉛シート１０２は、可撓性黒鉛シート全体の１つ又は複数の部分だけにおいて一体的に固定されている（即ち、積層されている）シートを有する、本明細書に説明されている複数の別々のシートを含むことが可能であり、したがって、この可撓性黒鉛シートのその他の部分では、別々の可撓性黒鉛シートが一体的に積層されていない。１つの例では、屈曲吸収部分１２０（後述する）が、一体的に積層されていない複数のシートを含み、及び、互いに間隔が空けられている支持部材１０４、１０６によって支持されているシートの一方又は両方の部分が、一体的に積層されている。別の例では、屈曲吸収部分１２０は、一体的に積層されている複数のシートを含み、及び、互いに間隔が空けられている支持部材１０４、１０６によって支持されているシートの一方又は両方の部分が一体的に積層されていない。
【００１０】
可撓性黒鉛シート１０２は、さらに、１つ又は複数の側面上に保護被覆を含んでもよい。他の実施形態では、シート１０２の１つ又は複数の部分だけが保護被覆を含む。他の実施形態では、シート１０２の異なる部分が異なる被覆を含むことが可能である。被覆は、非限定的に、ポリマー被覆又は金属被覆を含んでもよく、及び、例えば、ＰＥＴフィルム、アクリルフィルム、及び、薄い金属被覆であってもよい。
【００１１】
可撓性黒鉛シート１０２、又は、黒鉛シート１０２を形成するシート２０２ａ、２０２ｂ等は、約０．０１０ｍｍから約３．７５ｍｍの間の厚さと、約１．０ｇ／ｃｃから約２．０ｇ／ｃｃ以上の典型的な密度とを有してもよい。一例では、１つ又は複数の可撓性黒鉛シートは、約０．０２５ｍｍから約０．５００ｍｍの間の厚さを有する。別の例では、可撓性黒鉛シートは、約０．０５０ｍｍから約０．２５０ｍｍの間の厚さを有する。一例では、可撓性黒鉛シートは、約１．０ｇ／ｃｃから約２．０ｇ／ｃｃの間の密度を有することが可能である。別の例では、可撓性黒鉛シートは、約１．２ｇ／ｃｃから約１．８ｇ／ｃｃの間の密度を有することが可能である。一例では、可撓性黒鉛シートは、少なくとも約０．６ｇ／ｃｃの密度を有することが可能であり、より好ましくは、少なくとも約１．１ｇ／ｃｃの密度を有することが可能である。別の例では、可撓性黒鉛シートは、少なくとも約１．６ｇ／ｃｃの密度を有することが可能である。黒鉛シートの密度の上限は約２．０ｇ／ｃｃである。本開示における熱ブリッジでの使用のために適している１つの黒鉛シートは、オハイオ州インデペンデンスのＧｒａｆＴｅｃｈ  Ｉｎｔｅｒｎａｔｉｏｎａｌ  Ｈｏｌｄｉｎｇｓ  Ｉｎｃ．から、ｅＧＲＡＦTM材料として市販製品の形で入手可能である。
【００１２】
可撓性黒鉛シート１０２は、少なくとも１５０Ｗ／（ｍ・Ｋ）の面内熱伝導率（ｉｎ−ｐｌａｎｅ  ｔｈｅｒｍａｌ  ｃｏｎｄｕｃｔｉｖｉｔｙ）を有する。さらに別の実施形態では、この黒鉛シート１０２は、少なくとも３００Ｗ／（ｍ・Ｋ）の面内熱伝導率を有する。さらに別の実施形態では、この黒鉛シート１０２は、少なくとも４００Ｗ／（ｍ・Ｋ）の面内熱伝導率を有する。さらに別の実施形態では、この黒鉛シート１０２は、少なくとも６００Ｗ／（ｍ・Ｋ）の面内熱伝導率を有する。さらに別の実施形態では、この黒鉛シート１０２は、少なくとも７００Ｗ／（ｍ・Ｋ）の面内熱伝導率を有する。さらに別の実施形態では、この黒鉛シート１０２は、少なくとも１５００Ｗ／（ｍ・Ｋ）の面内熱伝導率を有する。一実施形態では、黒鉛シート１０２、２０２ａ、２０２ｂ等は、厚さ１０ミクロンから１５００ミクロンであってもよい。
【００１３】
可撓性黒鉛シート１０２は、有利には約０．０２５ｍｍから約０．５００ｍｍの間の厚さを有し、より有利には約０．０５０ｍｍから約０．２５０ｍｍの間の厚さを有する。可撓性黒鉛シート１０２は、有利には約１．０ｇ／ｃｃから約２．０ｇ／ｃｃの間の密度を有し、より有利には約１．２ｇ／ｃｃから約１．８ｇ／ｃｃの間の密度を有する。
【００１４】
可撓性黒鉛シートは、有利には２０．０ｍｍ未満の最小曲げ半径を有し、より有利には１０．０ｍｍ未満の最小曲げ半径を有し、及び、さらにより有利には約６．０ｍｍ未満の最小曲げ半径を有する。この実施形態、又は、他の実施形態では、最小曲げ半径は、約１．０ｍｍから約２０．０ｍｍの間であってもよい。
【００１５】
黒鉛シート１０２は、互いに間隔が空けられている支持部材１０４、１０６の間にまたがる自立屈曲調節部分１２０を含む。この屈曲調節部分１２０は湾曲しており、及び、したがって、間隙ＤGを架橋するために必要とされる長さよりも長い。一例では、互いに間隔が空けられている支持部材１０４、１０６の間に配置されている屈曲調節部分１２０は、釣鐘形曲線としても知られているガウス曲線を形成する。
【００１６】
黒鉛シート１０２の可撓性と自立屈曲調節部分１２０の湾曲形状とが、互いに間隔が空けられている支持部材１０４、１０６の間の距離ＤGに黒鉛シートがまたがることを可能にすると同時に、支持部材の間の機械的エネルギーの伝達を減少させることによって、支持部材の相互間の相対的振動の潜在的な差異を吸収する。この屈曲調節部分１２０は、さらに、互いに間隔が空けられている支持部材１０４、１０６の互いに対する相対的回転のような、互いに間隔が空けられている支持部材１０４、１０６の間の相対的な方向配置の変化に対して、装置１００、２００、４００が対処することを可能にもする。
【００１７】
釣鐘形曲線の形の屈曲調節部分１２０は、互いに反対側に位置している外向き凹形湾曲部分１２４の間に配置されている中央湾曲部分１２２を含む。この中央湾曲部分は、半径Ｒ1を含む。外向き凹形湾曲部分１２４は半径Ｒ2、Ｒ3を有する。互いに間隔が空けられている支持部材１０４、１０６の間にまたがる屈曲調節部分１２０は、他の構造又は支持部材に固定されていないので、自立していると表現されることが可能である。
【００１８】
次に、図３を参照すると、可撓性黒鉛シート支持構造が示されており、この可撓性黒鉛シート構造は、上述した可撓性黒鉛シート装置１００と、互いに間隔が空けられている支持部材の一方１０４に隣接して配置されている第１の湾曲保持部材１３０と、互いに間隔が空けられている支持部材の他方１０６に隣接して配置されている第２の湾曲保持部材１４０とを含む。第１の湾曲保持部材１３０は、屈曲調節部分１２０の一方の外向き湾曲部分１２４に隣接して配置されている湾曲表面１３２を含む。この湾曲表面１３２は、凸形であり、且つ、外向き凹形湾曲部分１２４に向かって延びる法線を有すると見なされることが可能である。第２の湾曲保持部材１４０も、屈曲調節部分１２０の他方の外向き凹形湾曲部分１２４に隣接して配置されている湾曲表面１４２を含む。この湾曲表面１４２も、凸形であり、且つ、凹形と見なされることが可能である外向き凹形湾曲部分１２４に向かって延びる法線を有すると見なされることが可能である。
【００１９】
湾曲保持部材１３０、１４０は、適切な凸形湾曲表面１３２、１４２を有する四分円形の部材であることが可能である。湾曲保持部材が、屈曲調節部分１２２のそれぞれの凹形湾曲表面１２４に隣接して位置しており且つそれに面している適切な凸形湾曲表面１３２、１４２を含む、様々な他の形状を有することが可能であるということが想定されている。
【００２０】
第１及び第２の湾曲保持部材１３０、１４０は、図３に示されているように、支持部材１０４、１０６に隣接して位置しており且つこれらから分離していることが可能である。あるいは、図４に示されているように湾曲表面１３２、１４２が支持部材上に形成されるように、第１及び第２の湾曲保持部材１３０、１４０は、それぞれの隣接した支持部材１０４、１０６と共に、それぞれに一体的に形成されることが可能である。
【００２１】
次に図４を参照すると、屈曲調節部分１２０可撓性黒鉛シート１０２の互いに反対側に位置している外向き凹形湾曲部分１２４が、それぞれの湾曲保持部材１３０、１４０の隣接する凸形湾曲表面１３２、１４２に固定されていない。このことが、湾曲保持部材１３０、１４０の凸形湾曲表面１３２、１４２が、予め決められており且つ可撓性黒鉛シート１０２の最小曲げ半径よりも大きい、可撓性黒鉛シートにおける曲げ半径を維持することを可能にすると同時に、支持部材１０４の一方が支持部材の他方に対して相対的に移動することを可能にする。この移動の一例が、他方の支持部材に対する一方の支持部材の相対的回転を、非限定的に含むことが可能である。拡大部分において見てとれるように、凹形湾曲部分は、相対的回転の最中に、湾曲保持部材の凸形湾曲表面から遠ざかるように移動するだろう。
【００２２】
可撓性黒鉛シートの外向き凹形湾曲部分１３２、１４２がそれぞれの半径Ｒ2、Ｒ3を有し、及び、湾曲吸収セクションの中央湾曲部分が半径Ｒ1を有する。一例では、Ｒ1≠Ｒ2且つＲ1≠Ｒ3である。別の例では、Ｒ1＝Ｒ2＝Ｒ3である。別の例では、Ｒ2とＲ3は、凸形湾曲表面全体において一定不変である。別の例では、Ｒ2≠Ｒ3である。
【００２３】
別の例では、Ｒ2とＲ3は凸形湾曲表面に沿って変化し、及び、この凸形湾曲表面は、円曲線ではない表面を画定する。非限定的な例が、特に、オイラー螺旋、螺旋曲線、又は、３次曲線を含むことが可能である。
【００２４】
他の例では、支持部材は、距離ＤGの間隔を空けられており、及び、Ｒ1＝Ｒ2＝Ｒ3であり、且つ、Ｒ1＋Ｒ1＋Ｒ2＋Ｒ3＝ＤGである。この構成によって、ほぼ最適である釣鐘形曲線に可撓性黒鉛シート１０２の屈曲調節部分１２０を維持する。
【００２５】
可撓性黒鉛シート１０２と、互いに間隔が空けられている支持部材１０４、１０６と、曲線保持部材の凸形湾曲表面は、支持部材１０４を有する一方の側部から、支持部材１０６を有する別の側部に熱を伝達することによって、装置のための熱管理装置（ｔｈｅｒｍａｌ  ｍａｎａｇｅｍｅｎｔ  ａｒｒａｎｇｅｍｅｎｔ）１００、２００、４００として使用されることが可能な可撓性黒鉛シート支持構造を形成する。この熱は、可撓性黒鉛シート１０２に熱的に接触している１つ又は複数の電子構成要素（図示されていない）によって発生させられることが可能である。この電子構成要素の具体例は、非限定的に、プロセッサー、メモリーモジュール、特定用途向け集積回路（ＡＳＩＣ）、グラフィックスプロセッサー、発光ダイオード（ＬＥＤ）、又は、電界効果トランジスター（電力ＦＥＴ、ＩＧＢＴ等）を含む。屈曲調節部分１２０は、可撓性黒鉛シート１０２が支持部材１０４、１０６の間の距離を超えて熱を伝達することを可能にすると同時に、これらの支持部材の間の振動の伝達を減少させ、且つ、上述したこれらの支持部材の間の相対的移動を調節する。一例では、四分円形の部材が、上述したように配置されている凸形湾曲表面１３２、１４２を各々が有する湾曲保持部材１３０、１４０のために使用された。互いに間隔が空けられている支持部材１０４、１０６の一方が他方の支持部材に対して１０°回転させられ、一方、上述したように屈曲調節部分１２０が所望の形状に保持された。この装置は、５３０００サイクルまでの繰り返し曲げ試験を受けたが、可撓性黒鉛シート１０２の熱性能における変化を全く示さなかった。
【００２６】
本明細書で説明されている様々な実施形態が、これらの実施形態の任意の組み合わせとして実施されることが可能である。上記説明は、当業者が本考案を実施することを可能にすることを意図されている。上記説明は、この説明を理解する時に当業者にとって明らかになる実現可能な変形と変更の全てを詳細に示すことは意図されていない。しかし、こうした変更と変形の全てが、後述の実用新案登録請求項で定義されている本考案の範囲内に含まれていることが意図されている。こうした実用新案登録請求項は、その文脈が反対のものを明確に示さない限りは、本考案に関して意図されている目的に合致するために有効であるあらゆる構成及び順序における上記要素及び段階をその範囲内に含むことが意図されている。
【符号の説明】
【００２７】
１００    可撓性黒鉛シート装置
１０２    可撓性黒鉛シート
１０４    支持部材
１０６    支持部材
１２０    屈曲調節部分
１２２    中央湾曲部分
１２４    外向き凹形部分
１３０    第１の湾曲保持部材
１３２    湾曲表面
１４２    湾曲表面
１４０    第２の湾曲保持部分
【図１】
0003213925.tif 000003
【図２】
0003213925.tif 000004
【図３】
0003213925.tif 000005
【図４】
0003213925.tif 000006
【図５】
0003213925.tif 000007
【手続補正書】
【提出日】平成29年5月25日(2017.5.25)
【手続補正１】
【補正対象書類名】実用新案登録請求の範囲
【補正対象項目名】全文
【補正方法】変更
【補正の内容】
【実用新案登録請求の範囲】
【請求項１】
可撓性黒鉛シート支持構造において、
第１の支持部材と、前記第１の支持部材から間隔が空けられている第２の支持部材であって、前記第１の支持部材及び前記第２の支持部材の一方がその他方に対して相対的に移動するようになっている、第１の支持部材及び第２の支持部材と、
互いに間隔が空けられている前記第１の支持部材及び前記第２の支持部材に固定されている可撓性黒鉛シートであって、互いに間隔が空けられている前記第１の支持部材及び前記第２の支持部材の間を延びる自立屈曲調節部分を有し、前記自立屈曲調節部分は、互いに反対側に位置した複数の外向き凹形湾曲部分の間に配置されている中央湾曲部分を有する釣鐘形曲線の形状である可撓性黒鉛シートと、
前記複数の外向き凹形湾曲部分のそれぞれ１つに隣接して配置されており且つそれに面している凸形湾曲表面を有する第１の湾曲保持部材と、前記複数の外向き凹形湾曲部分の他方に隣接して配置されており且つそれに面している凸形湾曲表面を有する第２の湾曲保持部材であって、前記可撓性黒鉛シートは前記凸形湾曲表面に固定されていない、第１の湾曲保持部材と第２の湾曲保持部材とを備える、可撓性黒鉛シート支持構造。
【請求項２】
第１の支持部材と、
前記第１の支持部材から間隔が空けられている第２の支持部材と、
互いに間隔が空けられている前記第１の支持部材と前記第２の支持部材の間の距離にわたって熱を伝達するように前記第１の支持部材及び前記第２の支持部材に固定されている可撓性黒鉛シートであって、前記可撓性黒鉛シートは、互いに間隔が空けられている前記第１の支持部材と前記第２の支持部材の間を延びる、湾曲した自立屈曲調節部分を有する、可撓性黒鉛シートとを備える熱管理装置。
【請求項３】
第１の支持部材と、
前記第１の支持部材から間隔が空けられている第２の支持部材と、
互いに間隔が空けられている前記第１の支持部材と前記第２の支持部材の間の距離にわたって熱を伝達するように前記第１の支持部材及び前記第２の支持部材に固定されている可撓性黒鉛シートであって、前記可撓性黒鉛シートは、互いに間隔が空けられている前記第１の支持部材と前記第２の支持部材の間を延びる、湾曲した自立屈曲調節部分を有する、可撓性黒鉛シートと、
前記可撓性黒鉛シートと熱的に接触している少なくとも１つの熱を発生する電子構成要素とを備える熱管理装置。
【請求項４】
第１の支持部材と、
前記第１の支持部材から間隔が空けられている第２の支持部材と、
互いに間隔が空けられている前記第１の支持部材と前記第２の支持部材の間の距離にわたって熱を伝達するように前記第１の支持部材及び前記第２の支持部材に固定されている可撓性黒鉛シートであって、前記可撓性黒鉛シートは、互いに間隔が空けられている前記第１の支持部材と前記第２の支持部材の間を延びる、湾曲した自立屈曲調節部分を有する、可撓性黒鉛シートと、
前記複数の外向き凹形湾曲部分のそれぞれ１つに隣接して配置されており且つそれに面している凸形湾曲表面を有する第１の湾曲保持部材と、
前記複数の外向き凹形湾曲部分の他方に隣接して配置されており且つそれに面している凸形湾曲表面を有する第２の湾曲保持部材とを備える熱管理装置。
【請求項５】
前記可撓性黒鉛シートは、複数の可撓性黒鉛シートと、一体的に積層されていない、前記複数の可撓性黒鉛シートの部分とを備える請求項２、３又は４に記載の熱管理装置。